(57)【特許請求の範囲】
【請求項１】
無線通信システムにおける通信に適合された送信ノードにおける方法であって、前記無線通信システムは情報を送信するための時間周波数リソース要素（ＲＥ）を使用するために適合され、前記方法は、
受信器固有のデータ・チャネル信号（ＰＤＳＣＨ）に関連付けられた少なくとも１つの第１の受信器固有の復調参照信号（ＰＤＳＣＨ−ＤＭＲＳ）を生成するステップと、
受信器固有のチャネル制御信号（ｅ−ＰＤＣＣＨ）に関連付けられた少なくとも１つの第２の受信器固有の復調参照信号（ｅ−ＰＤＣＣＨ−ＤＭＲＳ）を生成するステップと、
前記受信器固有のチャネル制御信号（ｅ−ＰＤＣＣＨ）を関連付けられた前記第２の受信器固有の復調参照信号（ｅ−ＰＤＣＣＨ−ＤＭＲＳ）とともに送信するステップと、
前記受信器固有のデータ・チャネル信号（ＰＤＳＣＨ）を関連付けられた前記第１の受信器固有の復調参照信号（ＰＤＳＣＨ−ＤＭＲＳ）とともに送信するステップと、
を含み、
前記第１の受信器固有の復調参照信号（ＰＤＳＣＨ−ＤＭＲＳ）は、第１のシンボル・シーケンスを使用することによって生成され、前記第２の受信器固有の復調参照信号（ｅ−ＰＤＣＣＨ−ＤＭＲＳ）は、第２のシンボル・シーケンスを使用することによって生成され、前記第１のシンボル・シーケンスは、前記第２のシンボル・シーケンスと異なる、方法。
【請求項２】
前記受信器固有のデータ・チャネル信号（ＰＤＳＣＨ）および前記受信器固有のチャネル制御信号（ｅ−ＰＤＣＣＨ）を別々の物理リソース・ブロック（ＰＲＢ）に動的に割り当てるステップをさらに含む、請求項１に記載の方法。
【請求項３】
前記第１の受信器固有の復調参照信号（ＰＤＳＣＨ−ＤＭＲＳ）は、送信アンテナ・ポートｐでのデータ・チャネル信号（ＰＤＳＣＨ）の送信に使用される物理リソース・ブロック（ＰＲＢ）内部の固定位置で時間周波数リソース要素（ＲＥ）を変調するために第１のシンボル・シーケンス｛ａｐ（ｋ）｝、ｋ＝０，１，．．．，Ｌ−１を使用することによって生成され、
前記第２の受信器固有の復調参照信号（ｅ−ＰＤＣＣＨ−ＤＭＲＳ）は、送信アンテナ・ポートｐでの受信器固有のチャネル制御信号（ｅ−ＰＤＣＣＨ）の送信に使用される物理リソース・ブロック（ＰＲＢ）内部の固定位置で時間周波数リソース要素（ＲＥ）を変調するために第２のシンボル・シーケンス｛ｂｕ、ｐ（ｋ）｝、ｋ＝０，１，．．．，Ｌ−１を使用することによって生成され、前記第２のシンボル・シーケンス｛ｂｕ、ｐ（ｋ）｝は、前記無線通信システムにおける１つまたは複数の受信ノードに割り当てることができる１組のＵ個のシーケンスからのｕ番目のシーケンスである、
請求項２に記載の方法。
【請求項４】
前記第１のシンボル・シーケンス｛ａｐ（ｋ）｝、ｋ＝０，１，．．．，Ｌ−１はａｐ（ｋ）＝ｗｐ（ｋ）ｑ（ｎＰＲＢ、ｋ）、ｋ＝０，１，．．．，１１として定義され、ｑ（ｎＰＲＢ、ｋ）は、３ＰＰ  ＬＴＥ標準に従う物理リソース・ブロック（ＰＲＢ）スクランブリング・シーケンスである、請求項３に記載の方法。
【請求項５】
前記第２のシンボル・シーケンス｛ｂｕ、ｐ（ｋ）｝、ｋ＝０，１，．．．，Ｌ−１はシンボルごとに、ｂｕ、ｐ（ｋ）＝ａｐ（ｋ）ｓｕ（ｋ）、ｋ＝０，１，．．．，Ｌ−１となるように前記第１のシンボル・シーケンス｛ａｐ（ｋ）｝、ｋ＝０，１，．．．，Ｌ−１と受信器固有の署名シーケンス｛ｓｕ（ｋ）｝、ｋ＝０，１，．．．，Ｌ−１を乗ずることによって得られ、前記受信器固有の署名シーケンス｛ｓｕ（ｋ）｝は、前記無線通信システムにおける１つまたは複数の受信ノードに割り当てることができる１組のＵ個の署名シーケンスからのｕ番目のシーケンスである、請求項４に記載の方法。
【請求項６】
前記受信器固有の署名シーケンス｛ｓｕ（ｋ）｝は、＋１または−１の値を有する要素を含む、請求項５に記載の方法。
【請求項７】
Ｕ＞１であり、前記受信器固有の署名シーケンス｛ｓｕ（ｋ）｝はお互いに直交する、請求項５に記載の方法。
【請求項８】
前記受信器固有の署名シーケンス｛ｓｕ（ｋ）｝は、行の順序を任意に変えられるアダマール行列Ｈの列であり、
【数１】
0005916259.tif 000023
である、請求項７に記載の方法。
【請求項９】
前記受信器固有の署名シーケンス｛ｓｕ（ｋ）｝は、行の順序を任意に変えられるＬ×Ｌ次元の行列
【数２】
0005916259.tif 000024
の列であり、ＡはＬ／２×Ｌ／２の直交行列である、請求項７に記載の方法。
【請求項１０】
Ａは離散フーリエ変換（ＤＦＴ）行列である、請求項９に記載の方法。
【請求項１１】
Ａは４相直交行列である、請求項９に記載の方法。
【請求項１２】
無線通信システムにおける通信に適合された受信ノードにおける方法であって、前記無線通信システムは情報を送信するための時間周波数リソース要素を使用するために適合され、前記方法は、
請求項１に従って生成された少なくとも１つの受信器固有のチャネル制御信号（ｅ−ＰＤＣＣＨ）および関連する第２の受信器固有の復調参照信号（ｅ−ＰＤＣＣＨ−ＤＭＲＳ）を受信するステップと、
請求項１に従って生成された少なくとも１つの受信器固有のデータ・チャネル信号（ＰＤＳＣＨ）および関連する第１の受信器固有の復調参照信号（ＰＤＳＣＨ−ＤＭＲＳ）を受信するステップと、
関連付けられた前記第２の受信器固有の復調参照信号（ｅ−ＰＤＣＣＨ−ＤＭＲＳ）を用いることによって前記受信器固有のチャネル制御信号（ｅ−ＰＤＣＣＨ）を復調するステップと、
前記受信器固有のチャネル制御信号（ｅ−ＰＤＣＣＨ）を復調する前記ステップから導出した情報を用いて前記受信器固有のデータ・チャネル信号（ＰＤＳＣＨ）を復調するステップと
を含む、方法。
【請求項１３】
受信器固有のチャネル制御信号（ｅ−ＰＤＣＣＨ）に割り当てられた物理リソース・ブロック（ＰＲＢ）を特定するために、所与の時間周波数検索空間内部の全ての物理リソース・ブロック（ＰＲＢ）における前記第２の受信器固有の復調参照信号（ｅ−ＰＤＣＣＨ−ＤＭＲＳ）を検索するステップをさらに含む、請求項１２に記載の方法。
【請求項１４】
前記無線通信システムは複数のアンテナ・ポート送信を使用し、前記検索するステップはさらに、前記第２の受信器固有の復調参照信号（ｅ−ＰＤＣＣＨ−ＤＭＲＳ）の送信に使用される全てのアンテナ・ポートを検索するステップを含む、請求項１３に記載の方法。
【請求項１５】
前記検索するステップは、
ｉ）前記所与の時間周波数検索空間を検索することによって１組の受信器固有のチャネル制御信号（ｅ−ＰＤＣＣＨ）物理リソース・ブロック（ＰＲＢ）の対の候補の集合を特定するステップと、
ｉｉ）候補に対するＣＲＣチェックが、前記候補が正確であると仮定して肯定的である場合には、前記集合における候補に対してＣＲＣチェックを復調し実施するステップと、
を含む、請求項１３または１４に記載の方法。
【請求項１６】
ステップｉｉ）が肯定的なＣＲＣチェックの結果とならない場合には、前記所与の時間周波数検索空間における残りの受信器固有のチャネル制御信号（ｅ−ＰＤＣＣＨ）物理リソース・ブロック（ＰＲＢ）の対に対してブラインド検出を実施するステップをさらに含む、請求項１５に記載の方法。
【請求項１７】
請求項１乃至１６の何れか１項に従う方法をコンピュータに実行させるコンピュータ・プログラムであって、前記コンピュータ・プログラムはコンピュータ可読媒体に含まれ、前記コンピュータ可読媒体は、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュ・メモリ、ＥＥＰＲＯＭ（Ｅｌｅｃｔｒｉｃａｌｌｙ  ＥＰＲＯＭ）およびハード・ディスク・ドライブのグループのうち１つまたは複数から成る、コンピュータ・プログラム。
【請求項１８】
無線通信システムにおける通信に適合された送信装置であって、前記無線通信システムは情報を送信するための時間周波数リソース要素（ＲＥ）を使用するために適合され、前記送信装置は、
受信器固有のデータ・チャネル信号（ＰＤＳＣＨ）に関連付けられた少なくとも１つの第１の受信器固有の復調参照信号（ＰＤＳＣＨ−ＤＭＲＳ）を生成し、
受信器固有のチャネル制御信号（ｅ−ＰＤＣＣＨ）に関連付けられた少なくとも１つの第２の受信器固有の復調参照信号（ｅ−ＰＤＣＣＨ−ＤＭＲＳ）を生成し、
前記受信器固有のチャネル制御信号（ｅ−ＰＤＣＣＨ）を関連付けられた前記第２の受信器固有の復調参照信号（ｅ−ＰＤＣＣＨ−ＤＭＲＳ）とともに送信し、
前記受信器固有のデータ・チャネル信号（ＰＤＳＣＨ）を関連付けられた前記第１の受信器固有の復調参照信号（ＰＤＳＣＨ−ＤＭＲＳ）とともに送信する、
ように構成され、
前記第１の受信器固有の復調参照信号（ＰＤＳＣＨ−ＤＭＲＳ）は、第１のシンボル・シーケンスを使用することによって生成され、前記第２の受信器固有の復調参照信号（ｅ−ＰＤＣＣＨ−ＤＭＲＳ）は、第２のシンボル・シーケンスを使用することによって生成され、前記第１のシンボル・シーケンスは、前記第２のシンボル・シーケンスと異なる、送信装置。
【請求項１９】
無線通信システムにおける通信に適合された受信装置であって、前記無線通信システムは情報を送信するための時間周波数リソース要素を使用するために適合され、前記受信装置は、
請求項１８に記載の送信装置により生成された少なくとも１つの受信器固有のチャネル制御信号（ｅ−ＰＤＣＣＨ）および関連する第２の受信器固有の復調参照信号（ｅ−ＰＤＣＣＨ−ＤＭＲＳ）を受信し、
請求項１８に記載の送信装置により生成された少なくとも１つの受信器固有のデータ・チャネル信号（ＰＤＳＣＨ）および関連する第１の受信器固有の復調参照信号（ＰＤＳＣＨ−ＤＭＲＳ）を受信し、
関連付けられた前記第２の受信器固有の復調参照信号（ｅ−ＰＤＣＣＨ−ＤＭＲＳ）を用いて前記受信器固有のチャネル制御信号（ｅ−ＰＤＣＣＨ）を復調し、
前記受信器固有のチャネル制御信号（ｅ−ＰＤＣＣＨ）を復調するステップから導出した情報を使用して前記受信器固有のデータ・チャネル信号（ＰＤＳＣＨ）を復調する、
ように構成された、受信装置。
【発明の詳細な説明】
【技術分野】
【０００１】
本発明は、復調参照信号を生成し送信するための方法、および、受信ノードにおける対応する方法に関する。さらに、本発明はまた、送信装置、受信装置、コンピュータ・プログラム、およびそれらのコンピュータ・プログラム製品に関する。
【背景技術】
【０００２】
セルラ通信システムでは、ダウンリンク（ＤＬ）とは同期信号と情報を基地局（例えばｅＮＢ）からモバイル・ユーザ（例えばＵＥ）への送信を意味する。アップリンク（ＵＬ）では、送信方向は反対である。
【０００３】
ＬＴＥセルラ通信システムのＤＬは直交周波数分割多重（ＯＦＤＭ）送信に基づき、情報送信に対する時間リソース単位と周波数リソース単位の両方を使用する。ＯＦＤＭ信号は、サブキャリアと呼ばれる１組の複雑な正弦曲線から構成され、それらの周波数は基本（最小の非零の）サブキャリア周波数の連続的な整数の倍数である。夫々の複雑な正弦曲線は一定数の情報ビットを伝搬する変調シンボルにより重み付けされる。時間領域では、ＯＦＤＭシンボル期間は、アクティブ部分と巡回プレフィックス部分から成る。アクティブ部分の期間は、基本サブキャリア周波数の逆数である。巡回プレフィックス（ＣＰ）は、各ＯＦＤＭシンボルの先頭に追加した信号であり、アクティブなＯＦＤＭシンボル波形の最後の部分から構成される
【０００４】
ＤＬ  ＬＴＥ情報送信の最小の時間周波数リソース単位はリソース要素（ＲＥ）と呼ばれ、ＯＦＤＭシンボル内の単一の複雑な正弦曲線周波数を占める。様々なＵＥへの送信をスケジュールするために、ＲＥは物理リソース・ブロック（ＰＲＢ）と呼ばれるより大きな単位にグループ化される。ＰＲＢはサブフレームの半分（「スロット」と呼ばれる）、即ち、時間領域内の（通常の巡回プレフィックス長である）
【０００５】
【数１】
0005916259.tif 000002
【０００６】
個の連続するＯＦＤＭシンボルと、周波数領域内の（合計で１８０ＫＨｚを占める）
【０００７】
【数２】
0005916259.tif 000003
【０００８】
個の連続するサブキャリア周波数を占める。
【０００９】
【数３】
0005916259.tif 000004
【００１０】
物理ダウンリンク制御チャネル（ＰＤＣＣＨ）は、別の信号を介してｅＮＢからＵＥに送信されるユーザ指定情報を受信し復調するのに必要な情報を含む信号として定義され、これは物理ダウンリンク共有チャネル（ＰＤＳＣＨ）と呼ばれる。ＰＤＣＣＨは、ダウンリンク・サブフレームと呼ばれる、１ｍｓの各ＵＥ固有の基本送信時間間隔の先頭にある少数のＯＦＤＭシンボルを占める制御チャネル領域で送信される。このサブフレームは、単一のＵＥに割り当てることができる最小の時間リソースである。各制御チャネル領域内のＯＦＤＭシンボルの数は、各ＤＬサブフレーム内の物理制御フォーマット・インジケータ・チャネル（ＰＣＦＩＣＨ）により示されるように１から３の値をとる。
【００１１】
ＰＤＣＣＨにより運ばれるダウンリンク制御情報（ＤＣＩ）は、時間周波数リソース割当て、使用される変調符号化方式（ＭＣＳ）等のような、関連するＰＤＳＣＨまたは物理アップリンク共有チャネル（ＰＵＳＣＨ）を復調するのに必要な情報を含む。ＤＣＩ送信での誤り検出は、巡回冗長検査（ＣＲＣ）を介して提供される。ＣＲＣビットは、ＤＣＩ情報ビットから計算され、ＤＣＩに取り付けられる。
【００１２】
ＰＤＣＣＨ信号を復調するために、ＵＥは伝播チャネルを推定する必要がある。このチャネル推定は、特別に割り当てられたＲＥを介して送信された参照信号（ＲＳ）から取得される。ＲＳは所謂アンテナ・ポート（ＡＰ）を定義するためにも使用される。ＡＰは対応する別々のアンテナ・システムへのベースバンド入力である。アンテナ・システムは、所望の電磁放射パターンを一緒に生成する１つまたは複数のアンテナ要素に接続されたＲＦチェーンから成る。複数の送信アンテナ・ポートおよび複数の受信アンテナ・ポートがある場合には、当該送信は多入力多出力（ＭＩＭＯ）送信として通常は分類される。各送信アンテナ・ポートと各受信アンテナ・ポートの間の対応する伝播経路が一体となってＭＩＭＯ伝播チャネルを定義する。ＬＴＥ  ＤＬで、様々なＲＳが様々なアンテナ・ポートで送信され、したがって、様々なＲＳがＵＥでＭＩＭＯ伝播チャネル内の別々の伝播経路を識別することができる。このように各ＲＳが一意なＡＰを定義する。
【００１３】
高々８個のＤＭＲＳアンテナ・ポート｛７、８、９、１０，１１、１２、１３、１４｝がＬＴＥ  Ｒｅｌ−１０における高々８個の空間層のＰＤＳＣＨ送信をサポートするように定義される。ＰＤＳＣＨは、図２に示すようにＤＭＲＳにより定義されたアンテナ・ポートに直接マップされる。図２は、ＡＰ７とＡＰ８を介したランク２の送信の場合を示す。図１では、ＡＰと物理アンテナの間のマッピングは実装に依存し、したがって標準では規定されていない。
【００１４】
ＬＴＥには３種類のＤＬ参照信号がある。即ち、
ａ）基地局により全てのＵＥにブロードキャストされる共通参照信号（ＣＲＳ）
ｂ）ＵＥ固有のチャネル状態情報参照信号（ＣＳＩ−ＲＳ）
ｃ）ＵＥ固有の復調参照信号（ＤＭＲＳ）
である。
【００１５】
最初の２種類のＲＳは、チャネル品質インジケータ（ＣＱＩ）を計算するためにＵＥ内で使用される。当該パラメータは、どのＵＥが後続の送信に対してスケジュールされるべきかを決定するのを支援するために基地局にフィードバックされる。３番目の種類のＲＳ、即ち、ＤＭＲＳは、ＤＭＲＳと同じＰＲＢにおけるＰＤＳＣＨで送信されるデータを変調するために使用される。しかし、ＰＤＳＣＨの一部の送信モードでは、ＤＭＲＳは送信されず、ＣＲＳはこれらの送信モードでＰＤＳＣＨを復調するのに使用されるにすぎないことに留意されたい。加えて、ＣＲＳはＰＤＣＣＨ信号の復調に使用される参照信号にすぎない。
【００１６】
ＲＳの全ては、ＲＥの特定の時間周波数パターンと、その要素が当該ＲＥを変調する変調シーケンスとの一意な組合せにより特徴付けられる。図２Ａおよび２Ｂに示すように、ＰＲＢ対におけるＤＭＲＳの２つの可能な時間周波数パターンがある。図２Ａおよび２Ｂによれば、ＤＭＲＳ変調シーケンス｛ａｐ（ｋ）｝、ｋ＝０，１，．．．，１１を３×４のＤＭＲＳ変調行列Ａｐ
【００１７】
【数４】
0005916259.tif 000005
【００１８】
で表すことができる。スケジュールされたＰＲＢ対の各々におけるＤＭＲＳ変調シーケンス｛ａｐ（ｋ）｝は、シンボルごとにそのアンテナ・ポート（ＡＰ）のシーケンス｛ｗｐ（ｋ）｝をＰＲＢスクランブリング・シーケンス｛ｑ（ｎＰＲＢ、ｋ）｝に乗じることによって得られる。即ち、
【００１９】
【数５】
0005916259.tif 000006
【００２０】
である。当該ＡＰシーケンスは、スロット上でまたはサブフレーム上で直交する共通の時間周波数パターンを共有するＤＭＲＳを生成するのに使用される。ＡＰシーケンス｛ｗｐ（ｋ）｝を行列Ｗｐ
【００２１】
【数６】
0005916259.tif 000007
【００２２】
の列を連結することで定義することができる。ここで、（行列（１）と同様に）各行は、同一のサブキャリア周波数でのＲＥの変調シンボルを含む。行列（３）のシンボルは以下の表１で与えられる。
【００２３】
【表１】
0005916259.tif 000008
【００２４】
（３）で与えられるＡＰシーケンス｛ｗｐ（ｋ）｝の構造は、所与のサブキャリア周波数において、伝播チャネルがサブフレームにわたって一定であると考えられることを示唆する。なぜならば、そのケースでのみ、同一の時間周波数位置を占める様々なＡＰを受信器における相関によって直交的に分離できるからである。かかる相関は、ＤＭＲＳ  ＲＥを平均して受信器での付加雑音が抑制されて、サブフレーム内の所与のサブキャリア周波数での単一のチャネル係数が生成されることを示唆する。
【００２５】
さらに、ＰＲＢ対における全てのサブキャリア周波数にわたるＤＭＲＳの平均化すら可能である。なぜならば、ＬＴＥ標準では、基地局でのアンテナ・ポート７乃至１４の専用プリコーディングが少なくとも１つのＰＲＢ帯域幅の全てのサブキャリア周波数にわたって一定でなければならないと規定されているからである。このように、幾つかのアンテナ・ポートのプリコーディングが基地局の送信器で行われた場合でも、プリコーディング係数が全ての推定された伝播チャネル係数に含まれるので、ＵＥの受信器は観測されたアンテナ・ポートのＰＲＢ対における１つの伝播チャネル係数しか見ることができない。
【００２６】
ＰＲＢスクランブリング・シーケンス｛ｑ（ｎＰＲＢ、ｋ）｝は、全帯域幅のＤＭＲＳに割り当てられた全てのＲＥに｛ｒ（ｍ）｝をマッピングした後に、観測されたＰＲＢに入る長く複雑な（４相）疑似ランダムシーケンス
【００２７】
【数７】
0005916259.tif 000009
【００２８】
の１２シンボルの長いセグメントをとることによって生成される。
【００２９】
ＡＰシーケンスと同様に、ＰＲＢスクランブリング・シーケンス｛ｑ（ｎＰＲＢ、ｋ）｝を行列Ｑ（ｎＰＲＢ）
【００３０】
【数８】
0005916259.tif 000010
【００３１】
の列を連結することにより定義することができる。ここで、（行列（１）と同様に）各行は同じサブキャリア周波数でのＲＥの変調シンボルを含む。（４）から、ＰＲＢスクランブリング・シーケンス｛ｑ（ｎＰＲＢ、ｋ）｝を
【００３２】
【数９】
0005916259.tif 000011
【００３３】
と定義することができる。ここで、
【００３４】
【数１０】
0005916259.tif 000012
【００３５】
はｘを超えない最大の整数を表す。
【００３６】
ＰＲＢスクランブリング・シーケンスは、２つの可能な値を有しうるセルＩＤとＵＥ固有のパラメータに依存する。当該値を各サブフレームの先頭の基地局により独立に設定することができる。当該パラメータはＰＤＣＣＨ経由でＵＥに送信される。全てのＵＥ固有のＤＭＲＳポート（７乃至１４）は共通のＰＲＢスクランブリング・シーケンスを有する。当該共通のＰＲＢスクランブリング・シーケンスは、サブフレームごとに変化してもよく、基地局のスケジューラの決定に応じて、全部で２つの可能なバージョンのうち１つを有する。
【００３７】
ＬＴＥ  ＰＤＣＣＨの制御チャネルは、システムにおいてユーザの数が大幅に増大することが予測される将来の開発シナリオでは不十分であるかもしれないことが広く認識されている。さらに、将来のシステムにおける送信オーバヘッドを減少させるために、ＣＲＳが削除され、ＰＤＣＣＨの復調が実現可能でないようになるかもしれない。ＰＤＣＣＨの容量を増大させ送信オーバヘッドを減らす方法を発見する際の主な方向性は、基地局により個々のＵＥに対して動的にスケジュールされると想定されているＵＥ固有の制御チャネル、所謂ｅ−ＰＤＣＣＨを、ＰＤＳＣＨ上のＵＥ固有の情報内容を送信するために定期的に実施されるのと同様な方法で導入することである。
【００３８】
同様なアプローチが、中継ノードの動作の定義に関してＬＴＥ  Ｒｅｌ−１０で既に採用されている。中継ノード（ＲＮ）は、ダウンリンクとアップリンクの両方において、そのタスクが基地局のカバレッジを拡張することである補完的な送受信設備として定義される。ダウンリンクでは、ＲＮが所謂中継物理ダウンリンク制御チャネル（Ｒ−ＰＤＣＣＨ）を介して制御情報を基地局から受信する。Ｒ−ＰＤＣＣＨは、関連するＰＤＳＣＨをＲＮで復調するのに必要な情報またはＲＮからのＰＵＳＣＨ送信に必要な情報を運搬する。Ｒ−ＰＤＣＣＨの時間周波数リソースは根本的にＰＤＣＣＨのリソースとは異なる。即ち、Ｒ−ＰＤＣＣＨ  ＰＲＢは、時間と周波数の両方でスケジュールされＰＤＳＣＨ  ＰＲＢと多重化される。
【００３９】
前述のＣＲＳまたはＤＭＲＳ参照信号の何れかを用いてＲ−ＰＤＣＣＨを変調することができる。参照信号のタイプはｅＮＢで構成され、ＰＤＳＣＨで送信されるデータを介してＲＮの上位レイヤのソフトウェアに送信される。ｅＮＢと固定ＲＮの間のチャネルは時間領域で非常に低速に変化するので、Ｒ−ＰＤＣＣＨに対してスケジュールされたＰＲＢは非常に長期間にわたって最適なままであり、したがって、ＲＮの上位レイヤのソフトウェアに送信することができる。これは、リソース割当て情報がＰＤＳＣＨでデータ・ビットを介して送信され、ＲＮの上位レイヤのソフトウェアにより解釈され実行されることを意味する。
【００４０】
同様なアプローチをｅ−ＰＤＣＣＨの設計に使用して、ｅ−ＰＤＣＣＨがＵＥ固有の特別にスケジュールされたＰＲＢを通じて送信されるようにすることができる。しかし、ｅＮＢとＵＥの間のチャネルは時間と周波数の両方においてｅＮＢと固定ＲＮの間のチャネルよりもかなり高速に変化するので、ｅ−ＰＤＣＣＨに対してスケジュールされたＰＲＢは短期間でしか動作することができない。これは、所望のＵＥに対してＰＲＢを比較的頻繁に示すべきであることを意味する。ｅ−ＰＤＣＣＨが最終的にはＰＤＣＣＨを置き換えると想定され、ＵＥの上位レイヤに頻繁にリソース割当てを伝えることでＰＤＳＣＨの容量が消費されるはずであるので、スケジュールされたｅ−ＰＤＣＣＨリソースの割当てに関する情報はＵＥに送信されないとさらに仮定する。
【００４１】
したがって、スタンド・アロンで独立にスケジュールされたｅ−ＰＤＣＣＨを設計する際の主な問題は、夫々の新たにスケジュールされたｅ−ＰＤＣＣＨ送信に動的に割り当てられる時間周波数リソースをＵＥにおいてどのように検出するかである。ここで、当該割り当てられたｅ−ＰＤＣＣＨリソースを周波数領域に局所化または分散化することができる。
【００４２】
直接的な解決策は、ＵＥでブラインド復号化を使用することである。この場合、ＵＥは、所与の時間周波数とアンテナ・ポート検索空間においてＰＲＢ対の全ての可能な周波数位置でそのｅ−ＰＤＣＣＨを検出しようとする。ブラインド検出は、想定されるｅ−ＰＤＣＣＨ  ＲＥを復調して、送信器で計算されたＣＲＣ（ｃｙｃｌｉｃ  ｒｅｄｕｎｄａｎｃｙ  ｃｈｅｃｋ）を追加した制御チャネル情報ビットを取得し、次いでこれらの復調したＣＲＣビットを、復調した制御チャネル情報ビットからＵＥによって計算された「再構築された」ＣＲＣビットと比較することから成る。復調されたＣＲＣビットと再構築されたＣＲＣビットが同一である場合には、ｅ−ＰＤＣＣＨが発見され上手く復号化されたとみなす。
【発明の概要】
【発明が解決しようとする課題】
【００４３】
かかる解決策は、必要な動作の数という点で実装上非常に複雑である。例えば、システムの帯域幅の中に高々１００個のＰＲＢ対があり１または２または４の何れかのサイズのＰＲＢ対を有するｅ−ＰＤＣＣＨを仮定すると、ｅ−ＰＤＣＣＨが１つのアンテナ・ポートを介して送信された場合、アンテナ・ポートでの可能な最大検出回数は
【００４４】
【数１１】
0005916259.tif 000013
【００４５】
ほどの大きさになる。ここで、
【００４６】
【数１２】
0005916259.tif 000014
【００４７】
である。さらに、４個のアンテナ・ポートを候補アンテナ・ポートとみなす場合には、全ての候補アンテナ・ポートでの可能な最大検出回数の総数は上記数の４倍となる。
【００４８】
このように、ＵＥ固有の制御情報を送信するために基地局により動的に割り当てられ使用される時間周波数リソースをＵＥにおいて効率的に検出できるようにする、ダウンリンク送信方法をどのように設計するかは未解決な問題である。
【００４９】
先行技術の解決策によれば、ｅ−ＰＤＣＣＨの周波数位置はＰＤＣＣＨ領域で送信される新たなＤＣＩフォーマットにより示される。ＵＥは先ずＰＤＣＣＨ領域においてブラインド検出を行って新たなＤＣＩフォーマットを発見し、次いで、当該新たなＤＣＩフォーマット検出の状態に従ってｅ−ＰＤＣＣＨがデータ領域に存在するかどうかを判定する。したがって、ｅ−ＰＤＣＣＨの検出は実際には、ＰＤＣＣＨ領域における新たなＤＣＩフォーマットの検出に依存する。この設計は階層的であり、図３に示されている。明らかに、当該解決策では、（ＰＤＣＣＨを介した）スケジュールされたｅ−ＰＤＣＣＨ時間周波数リソースの明示的な送信に依存しており、したがって、上述の仮定のもとでの問題を解決しない。
【００５０】
別の先行技術の解決策によれば、上位層の信号送信によりｅ−ＰＤＣＣＨ時間周波数リソースを示す準静的な構成方法が提案されている。しかし、上位レイヤの信号送信による準静的な構成は通常はかなり長い送信時間の遅延をもたらすので、時間変化する高速フェーディング・チャネルに適合するのは困難である。
【課題を解決するための手段】
【００５１】
上記の課題に鑑み、本発明は、先行技術の解決策の欠点と問題を軽減または解決する解決策を提供することを目的とする。
【００５２】
本発明の第１の態様によれば、上述の目的は、無線通信システムにおける通信に適合された送信ノードにおける方法であって、当該無線通信システムは情報を送信するための時間周波数リソース要素（ＲＥ）を使用するために適合され、当該方法は、受信器固有のデータ・チャネル信号（ＰＤＳＣＨ）に関連付けられた少なくとも１つの第１の受信器固有の復調参照信号（ＰＤＳＣＨ−ＤＭＲＳ）を生成するステップと、受信器固有のチャネル制御信号（ｅ−ＰＤＣＣＨ）に関連付けられた少なくとも１つの第２の受信器固有の復調参照信号（ｅ−ＰＤＣＣＨ−ＤＭＲＳ）を生成するステップと、当該受信器固有のチャネル制御信号（ｅ−ＰＤＣＣＨ）を関連付けられた当該第２の受信器固有の復調参照信号（ｅ−ＰＤＣＣＨ−ＤＭＲＳ）とともに送信するステップと、当該受信器固有のデータ・チャネル信号（ＰＤＳＣＨ）を関連付けられた当該第１の受信器固有の復調参照信号（ＰＤＳＣＨ−ＤＭＲＳ）とともに送信するステップと、を含む方法によって実現される。
【００５３】
本発明の第２の態様によれば、上述の目的は、無線通信システムにおける通信に適合された受信ノードにおける方法であって、当該無線通信システムは情報を送信するための時間周波数リソース要素を使用するために適合され、当該方法は、上述の方法に従って生成された少なくとも１つの受信器固有のチャネル制御信号（ｅ−ＰＤＣＣＨ）と関連する第２の受信器固有の復調参照信号（ｅ−ＰＤＣＣＨ−ＤＭＲＳ）を受信するステップと、上述の方法に従って生成された少なくとも１つの受信器固有のデータ・チャネル信号（ＰＤＳＣＨ）と関連する第１の受信器固有の復調参照信号（ＰＤＳＣＨ−ＤＭＲＳ）を受信するステップと、関連付けられた当該第２の受信器固有の復調参照信号（ｅ−ＰＤＣＣＨ−ＤＭＲＳ）を用いることによって当該受信器固有のチャネル制御信号（ｅ−ＰＤＣＣＨ）を復調するステップと、当該受信器固有のチャネル制御信号（ｅ−ＰＤＣＣＨ）を復調するステップから導出した情報を用いて当該受信器固有のデータ・チャネル信号（ＰＤＳＣＨ）を復調するステップとを含む、方法によって実現される。
【００５４】
送信ノードと受信ノードにおける方法の様々な実施形態はそれぞれ添付の特許請求の範囲の従属請求項で定義される。上述の方法はコンピュータで実行してもよく、適切なコンピュータ・プログラムとコンピュータ・プログラム製品に具備される。
【００５５】
本発明の第３の態様によれば、上述の目的は、無線通信システムにおける通信に適合された送信装置であって、当該無線通信システムは情報を送信するための時間周波数リソース要素（ＲＥ）を使用するために適合され、当該送信装置は、受信器固有のデータ・チャネル信号（ＰＤＳＣＨ）に関連付けられた少なくとも１つの第１の受信器固有の復調参照信号（ＰＤＳＣＨ−ＤＭＲＳ）を生成し、受信器固有のチャネル制御信号（ｅ−ＰＤＣＣＨ）に関連付けられた少なくとも１つの第２の受信器固有の復調参照信号（ｅ−ＰＤＣＣＨ−ＤＭＲＳ）を生成し、当該受信器固有のチャネル制御信号（ｅ−ＰＤＣＣＨ）を関連付けられた当該第２の受信器固有の復調参照信号（ｅ−ＰＤＣＣＨ−ＤＭＲＳ）とともに送信し、当該受信器固有のデータ・チャネル信号（ＰＤＳＣＨ）を関連付けられた当該第１の受信器固有の復調参照信号（ＰＤＳＣＨ−ＤＭＲＳ）とともに送信するように構成された送信装置によって実現される。
【００５６】
本発明の第４の態様によれば、上述の目的は、無線通信システムにおける通信に適合された受信装置であって、当該無線通信システムは情報を送信するための時間周波数リソース要素を使用するために適合され、当該受信装置は、上述の送信装置により生成された少なくとも１つの受信器固有のチャネル制御信号（ｅ−ＰＤＣＣＨ）と関連する第２の受信器固有の復調参照信号（ｅ−ＰＤＣＣＨ−ＤＭＲＳ）を受信し、上述の送信装置により生成された少なくとも１つの受信器固有のデータ・チャネル信号（ＰＤＳＣＨ）と関連する第１の受信器固有の復調参照信号（ＰＤＳＣＨ−ＤＭＲＳ）を受信し、関連付けられた当該第２の受信器固有の復調参照信号（ｅ−ＰＤＣＣＨ−ＤＭＲＳ）を用いて当該受信器固有のチャネル制御信号（ｅ−ＰＤＣＣＨ）を復調し、当該受信器固有のチャネル制御信号（ｅ−ＰＤＣＣＨ）を復調するステップから導出した情報を使用して当該受信器固有のデータ・チャネル信号（ＰＤＳＣＨ）を復調するように構成された受信装置によって実現される。
【００５７】
本発明では、別々の即ち異なるＤＭＲＳを導入することによってＤＭＲＳの曖昧さの問題を解決する解決策を提供する。これは特に、制御信号とデータ信号を様々なＰＲＢへ動的に割り当てることを使用するシステムに当てはまる。それにより、システム内のモバイル・ユーザは関連するｅ−ＰＤＣＣＨ信号の高速な検出を実施することができる。
【００５８】
本発明のさらなる適用と利点は以下の詳細な説明から明らかになろう。添付図面は本発明の様々な実施形態を明確にし、説明しようとするものである。
【図面の簡単な説明】
【００５９】
【図１】様々なアンテナ・ポートのマッピングを示す図である。
【図２Ａ】ＰＲＢ対におけるＤＭＲＳの可能な時間周波数パターンを示す図である。
【図２Ｂ】ＰＲＢ対におけるＤＭＲＳの可能な時間周波数パターンを示す図である。
【図３】ＰＤＣＣＨで運搬される制御情報からのｅ−ＰＤＣＣＨの動的なリソース割当ての指示を示す図である。
【発明を実施するための形態】
【００６０】
前述の目的および他の目的を達成するために、本発明は送信ノードにおける方法と受信ノードにおける対応する方法に関する。本発明に従う送信ノードにおける方法は、受信器固有のデータ・チャネル信号（ＰＤＳＣＨ）に関連付けられた少なくとも１つの第１の受信器固有の復調参照信号（ＰＤＳＣＨ−ＤＭＲＳ）を生成するステップと、受信器固有のチャネル制御信号（ｅ−ＰＤＣＣＨ）に関連付けられた少なくとも１つの第２の受信器固有の復調参照信号（ｅ−ＰＤＣＣＨ−ＤＭＲＳ）を生成するステップと、当該受信器固有のチャネル制御信号（ｅ−ＰＤＣＣＨ）を関連付けられた当該第２の受信器固有の復調参照信号（ｅ−ＰＤＣＣＨ−ＤＭＲＳ）とともに送信するステップと、当該受信器固有のデータ・チャネル信号（ＰＤＳＣＨ）を関連付けられた当該第１の受信器固有の復調参照信号（ＰＤＳＣＨ−ＤＭＲＳ）とともに送信するステップとを含む。この状況での「とともに」とは「同時に」を意味するとして解釈すべきである。
【００６１】
本発明に従う受信ノードにおける方法は、上述の方法に従って生成された少なくとも１つの受信器固有のチャネル制御信号（ｅ−ＰＤＣＣＨ）および関連する第２の受信器固有の復調参照信号（ｅ−ＰＤＣＣＨ−ＤＭＲＳ）を受信するステップと、上述の方法に従って生成された少なくとも１つの受信器固有のデータ・チャネル信号（ＰＤＳＣＨ）および関連する第１の受信器固有の復調参照信号（ＰＤＳＣＨ−ＤＭＲＳ）を受信するステップと、当該関連する第２の受信器固有の復調参照信号（ｅ−ＰＤＣＣＨ−ＤＭＲＳ）を用いて受信器固有のチャネル制御信号（ｅ−ＰＤＣＣＨ）を復調するステップと、受信器固有のチャネル制御信号（ｅ−ＰＤＣＣＨ）を復調するステップから導出した情報を用いて受信器固有のデータ・チャネル信号（ＰＤＳＣＨ）を復調するステップと、を含む。
【００６２】
本発明の１実施形態によれば、送信ノードにおける方法はさらに、受信器固有のデータ・チャネル信号（ＰＤＳＣＨ）および受信器固有のチャネル制御信号（ｅ−ＰＤＣＣＨ）を別々のＰＲＢに動的に割り当てるステップを含む。
【００６３】
本発明のさらに別の実施形態によれば、送信ノードにおける方法は、送信アンテナ・ポートｐでのデータ・チャネル信号（ＰＤＳＣＨ）の送信に使用される物理リソース・ブロック内部の固定位置で時間周波数リソース要素を変調するために第１のシンボル・シーケンス｛ａｐ（ｋ）｝、ｋ＝０，１，．．．，Ｌ−１を使用することによって第１の受信器固有の復調参照信号（ＰＤＳＣＨ−ＤＭＲＳ）を生成するステップと、送信アンテナ・ポートｐでのｅ−ＰＤＣＣＨの送信に使用される物理リソース・ブロック内部の固定位置で時間周波数リソース要素を変調するために第２のシンボル・シーケンス｛ｂｕ、ｐ（ｋ）｝、ｋ＝０，１，．．．，Ｌ−１を使用することによって第２の受信器固有の復調参照信号（ｅ−ＰＤＣＣＨ−ＤＭＲＳ）を生成するステップとを含む。当該第２のシンボル・シーケンス｛ｂｕ、ｐ（ｋ）｝は、上記無線通信システムにおける（ＵＥのような）１つまたは複数の受信ノードに割り当てることができる１組のＵ個のシーケンスからのｕ番目のシーケンスである。
【００６４】
ＤＭＲＳを対応するｅ−ＰＤＣＣＨまたはＰＤＳＣＨ信号と同じＰＲＢで送信する際、所与の時間周波数検索空間における全てのＰＲＢ、および、ＤＭＲＳの送信に使用できる全ての可能なアンテナ・ポートにおいて、受信器固有のＤＭＲＳ変調シーケンスを受信器で検索すると、ｅ−ＰＤＣＣＨ信号またはＰＤＳＣＨ信号の何れかの送信に割り当てられたＰＲＢを特定することができる。この場合の主な問題は、検出されたＰＲＢがｅ−ＰＤＣＣＨ信号またはＰＤＳＣＨ信号に割り当てられるかどうかを受信器が判定できないことである。なぜならば、現在のＬＴＥシステムにおいては任意のＵＥ固有のＤＭＲＳ変調シーケンスがこれらの信号の両方に対して同一であるからである。
【００６５】
ＤＭＲＳの曖昧さを解決するために、本発明では、別々の即ち異なるＤＭＲＳをｅ−ＰＤＣＣＨおよびＰＤＳＣＨに対してそれぞれ導入し、両方がＵＥ固有であり両方が同一の時間周波数のＲＥを利用しているが異なるＤＭＲＳ変調シーケンスを利用しているようにする。ｅ−ＰＤＣＣＨ固有のＤＭＲＳ変調シーケンスにより、ＵＥはｅ−ＰＤＣＣＨに割り当てられた検出されたＰＲＢを曖昧なく特定することができる。
【００６６】
ｅ−ＰＤＣＣＨ  ＤＭＲＳの検索の複雑さを軽減し、レガシーＵＥ、即ち、以前のバージョンのＬＴＥ標準との互換性を維持するために、式（１）で記述した既存のＬＴＥ  ＤＭＲＳ変調シーケンスｓ｛ａｐ（ｋ）｝をＰＤＳＣＨに割り当て、ｅ−ＰＤＣＣＨ−ＤＭＲＳ変調シーケンスを新たな変調シーケンス｛ｂｕ、ｐ（ｋ）｝とするのが有利である。これは、ａｐ（ｋ）＝ｗｐ（ｋ）ｑ（ｎＰＲＢ、ｋ）、ｋ＝０，１，．．．，１１であることを意味し、３ＧＰＰ  ＬＴＥ標準によればｑ（ｎＰＲＢ、ｋ）はＰＲＢスクランブリング・シーケンスである。
【００６７】
シンボルごとにＰＤＳＣＨ−ＤＭＲＳ変調シーケンス｛ａｐ（ｋ）｝、ｋ＝０，１，．．．，Ｌ−１をＵＥ固有のｅ−ＰＤＤＣＨ署名シーケンス｛ｓｕ（ｋ）｝、ｋ＝０，１，．．．，Ｌ−１に乗ずることによってｅ−ＰＤＣＣＨ−ＤＭＲＳ変調シーケンス｛ｂｕ、ｐ（ｋ）｝、ｋ＝０，１，．．．，Ｌ−１を得るのが好ましい。即ち、
ｂｕ、ｐ（ｋ）＝ａｐ（ｋ）ｓｕ（ｋ）、ｋ＝０，１，．．．，Ｌ−１             （６）
である。ここで、インデックスｕは、システム内の１つまたは複数の受信ノードに割り当てることができる１組のＵ個の署名シーケンスのうちｕ番目のシーケンスのラベルである。本発明の別の実施形態によれば、当該インデックスｕを１つまたは複数の受信器に暗黙的または明示的に送信してもよい。
【００６８】
署名シーケンスＬ内のシンボルの数は１２である。即ち、最新バージョンのＬＴＥ標準（Ｒｅｌ．１０）に従うＰＲＢ対におけるＤＭＲＳ−ＲＥの数に等しい。しかし、ＰＲＢ対において他の何らかのＬ個のＤＭＲＳ−ＲＥでｅ−ＰＤＣＣＨ−ＤＭＲＳ変調シーケンスを上記のように構築することが分かり易い。ｅ−ＰＤＣＣＨ署名シーケンスを行列Ｓｕにより次のように表すこともできる。
【００６９】
【数１３】
0005916259.tif 000015
【００７０】
幾つかの開発シナリオでは、基地局が、サブフレーム内で一体的にスケジュールされたＰＲＢに様々な周波数位置を割り当てると決定するかもしれない。そのケースでも、Ｌ個のシンボルの単一のＵＥ固有のｅ−ＰＤＣＣＨ署名シーケンスをそのような各ＰＲＢ対に割り当てて、当該シンボルがｅ−ＰＤＣＣＨ署名行列（７）で記述したようにｅ−ＰＤＣＣＨ  ＤＭＲＳ  ＲＥにマップされるようにすることができる。
【００７１】
ｅ−ＰＤＣＣＨ−ＤＭＲＳ変調シーケンスを非常に単純に生成できＵＥ受信器において単純な検索手続きが可能である実施形態によれば、ｅ−ＰＤＣＣＨ署名シーケンスは２つの値、即ち、＋１と−１から構成されるアルファベットを有するバイナリ・シーケンスであってもよい。
【００７２】
別の実施形態によれば、複数のＵＥに対応して、送信ノード（例えば、基地局または中継ノード）が複数のｅ−ＰＤＣＣＨ信号およびＰＤＳＣＨ信号を１組の共通のアンテナ・ポート上で同時に送信する。即ち、Ｕ＞１の場合である。
【００７３】
対応するＰＤＳＣＨ−ＤＭＲＳ変調シーケンスにおいて全てのＵＥが（基地局のスケジューラの決定に応じて）同一のスクランブリング・シーケンスを共有する場合には、同一のｅ−ＰＤＣＣＨ署名シーケンスを全てのＵＥ固有のｅ−ＰＤＣＣＨ送信において用いることによって、関与するＵＥの各々が、対応するｅ−ＰＤＤＣＨ信号が自分自身のものであるかどうかまたは他の何らかのＵＥに属するかどうかを判断することが不可能となる。このＵＥの曖昧さを、以下の開示で説明するように、複数のＵＥ固有の直交ｅ−ＰＤＣＣＨ署名シーケンスにより最適化することができる。例えば、長さが１２の１１個の直交バイナリｅ−ＰＤＣＣＨ署名シーケンスから成る集合は１２×１２のアダマール行列Ｈの列２乃至１２により与えられる。ここで、
【００７４】
【数１４】
0005916259.tif 000016
【００７５】
である。（８）の先頭の列、即ち、＋１のみから成るベクトルを透過「ＰＤＳＣＨ署名シーケンス」と解することができる。これは、署名シーケンス（８）を用いて生成されたｅ−ＰＤＣＣＨ−ＤＭＲＳ変調シーケンスの各々が、対応するＰＤＳＣＨ−ＤＭＲＳ変調シーケンスと直交することを意味する。Ｈの行が入れ替えられた場合にＨの列が直交したままであることは容易に分かる。しかし、幾つかの開発シナリオでは、ｅ−ＰＤＣＣＨ署名シーケンスもＬより小さい幾つかのシンボルにわたって直交するのが有利かもしれない。例えば、高速で移動するＵＥまたはサブフレーム内で一体となってスケジュールされたＰＲＢに割り当てられた別々の周波数位置を有するＵＥには、各スロットにおいて独立してｅ−ＰＤＣＣＨ検出を実施する利益があるかもしれない。この場合、他のＵＥ固有のｅ−ＰＤＣＣＨ署名シーケンスからの干渉は、全てのｅ−ＰＤＣＣＨ署名がＬ個のシンボルとＬ／２個のシンボルの両方にわたって直交する場合に最小化されるはずである。かかるｅ−ＰＤＣＣＨ署名を、例えば、
【００７６】
【数１５】
0005916259.tif 000017
【００７７】
として構造化できるＬ×Ｌの直交行列から取得することができる。ここで、ＡはＬ／２×Ｌ／２の直交行列である。例えば、直交行列Ａ０を６×６のＤＦＴ行列として定義することができる。即ち、
【００７８】
【数１６】
0005916259.tif 000018
【００７９】
である。ここで、
【００８０】
【数１７】
0005916259.tif 000019
【００８１】
である。Ａ０を（９）に挿入すると、
【００８２】
【数１８】
0005916259.tif 000020
【００８３】
で与えられる１２×１２の行列Ｇ０が得られる。対応する長さ１２の直交ｅ−ＰＤＣＣＨ署名シーケンスは、６個のシンボルから成るインターバルにわたって直交し、６個のシンボルから成るインターバルにわたって「ＰＤＳＣＨ署名シーケンス」と直交し、行列Ｇ０の列２乃至６または列８乃至１２の何れかにより与えられる。
【００８４】
（９）の別の興味深い特殊なケースは、例えば、
【００８５】
【数１９】
0005916259.tif 000021
【００８６】
のような４相の６×６の直交行列Ａ＝Ａｊ、１＝１，．．．，４の何れかを用いることによって得られる。例えば、Ａ１を（９）に挿入すると、長さ１２の対応する直交ｅ−ＰＤＣＣＨ署名シーケンスは、６個のシンボルから成るインターバルにわたって直交し、６個のインターバルにわたって「ＰＤＳＣＨ署名シーケンス」と直交し、
【００８７】
【数２０】
0005916259.tif 000022
【００８８】
で与えられる１２×１２の行列Ｇ１の列２乃至６および８乃至１２で与えられる。
【００８９】
直交ｅ−ＰＤＣＣＨ署名シーケンスに（１組のＵ個の署名シーケンスから）インデックスｕ＝０，１，．．．，Ｌ−２でラベルを付けることができ、したがって、特定のｕの値を特定のＵＥに割り当てることにより、ＵＥ固有のｅ−ＰＤＣＣＨ署名シーケンスが得られる。特定のＵＥへのｅ−ＰＤＣＣＨ署名シーケンスの割当てを、例えば、ＬＴＥ標準におけるＲＮＴＩ（Ｒａｄｉｏ  Ｎｅｔｗｏｒｋ  Ｔｅｍｐｏｒａｒｙ  Ｉｄｅｎｔｉｆｉｅｒ）として知られる、ネットワーク内の幾つかのＵＥ識別番号の関数としてインデックスｕを標準において指定することによって行うことができる。当該識別番号は、接続がいったん確立されると基地局により各ＵＥに送信される。他の選択肢は、後続のスケジューリング間隔で使用される（ＰＤＳＣＨを介した）上位層シグナリングによってインデックスｕをＵＥに送信することである。したがって、インデックスｕまたはその均等物の暗黙的な信号送信と明示的な信号送信の両方を当該システムにより実施してもよい。
【００９０】
受信ノードにおける方法に関して、本発明の１実施形態に従う上述の方法はさらに、受信器固有のチャネル制御信号（ｅ−ＰＤＣＣＨ）に割り当てられたＰＲＢを特定するために、所与の時間周波数検索空間内部の全てのＰＲＢにおける第２の受信器固有の復調参照信号（ｅ−ＰＤＣＣＨ−ＤＭＲＳ）を検索するステップを含む。当該検索は、複数のアンテナ・ポートが当該送信で使用される場合には、第２の受信器固有の復調参照信号（ｅ−ＰＤＣＣＨ−ＤＭＲＳ）の送信に使用される全てのアンテナ・ポートで検索が実施されるのが好ましい。
【００９１】
さらに別の実施形態によれば、当該検索ステップはさらに、
ｉ）ＵＥ固有のＤＭＲＳ変調シーケンスとｅ−ＰＤＣＣＨ固有のＤＭＲＳ変調シーケンスに関する所与の時間周波数検索空間を検索することによって、１組の候補ｅ−ＰＤＣＣＨ  ＰＲＢを特定するステップと、
ｉｉ）候補に対するＣＲＣチェックが、当該候補が正確であると仮定して肯定的である場合には、当該１組の候補に属する候補に対してＣＲＣチェックを復調し実施するステップと、
を含む。
【００９２】
さらに、当該検索が、
ｉｉｉ）上のステップｉｉ）が肯定的なＣＲＣチェックの結果とならない場合には、当該所与の時間周波数検索空間における残りのｅ−ＰＤＣＣＨ  ＰＲＢの対に対してブラインド検出を実施するステップを含んでもよい。
【００９３】
したがって、換言すれば、複数のｅ−ＰＤＣＣＨ署名シーケンスが存在する場合には、対応する追加の検出統計値を網羅するようにｅ−ＰＤＣＣＨ検索アルゴリズムを適合させるべきである。加えて、当該検索アルゴリズムを幾つかの反復において実施することができる。１回目の反復では、ＵＥは１組の候補、即ち、潜在的なｅ−ＰＤＣＣＨ  ＰＲＢ対を、そのｅ−ＰＤＣＣＨ−ＤＭＲＳ変調シーケンスを所与の時間周波数検索空間全体にわたって検索することによって特定することができる。２回目の反復では、ＵＥは各候補ｅ−ＰＤＣＣＨ  ＰＲＢ対を１つずつ復調してＣＲＣチェックを行う。選択した候補ｅ−ＰＤＣＣＨ  ＰＲＢ対のＣＲＣチェックが肯定的である場合には、ｅ−ＰＤＣＣＨの検出と復号化が成功したとみなす。そうでない場合には、ＵＥは当該組の別の候補ｅ−ＰＤＣＣＨ  ＰＲＢ対に進む。候補ｅ−ＰＤＣＣＨ  ＰＲＢ対のうちどれもＣＲＣチェックに成功しない場合には、ＵＥは、時間周波数検索空間における残りのＰＲＢ対に対してｅ−ＰＤＣＣＨブラインド検出を実施すべきである。
【００９４】
１時点に１つのＵＥだけがスケジュールされる場合には、同じｅ−ＰＤＣＣＨ署名を複数のＵＥで共有することができる。その場合、受信ノードでのｅ−ＰＤＣＣＨ検索手続きの基本的な実装として以下のステップを含めてもよい。即ち、
１）サブフレーム内の全ての受信したＯＦＤＭシンボルを、対応する変調シンボルを有するサブキャリアに分解するステップと、
２）分解した受信信号において、検索されていない周波数領域でＰＲＢ対を選択するステップと、
３）特定のＤＭＲＳポートを想定するステップと、
４）想定したＤＭＲＳポートに割り当てたＲＥを、対応するＰＤＳＣＨ−ＤＭＲＳ変調シーケンスの複素共役で再復調するステップであって、再復調したＲＥは第１の伝播チャネルの推定値を表すステップと、
５）第１の伝播チャネル推定値をｅ−ＰＤＣＣＨ署名シーケンスの複素共役で再復調して、第２の伝播チャネル推定値を取得するステップと、
６）第１の伝播チャネル推定値の全てのサンプルを合計し、当該合計値の（二乗）絶対値を求めて、第１の検出統計値を得るステップと、
７）第２の伝播チャネル推定値のサンプル全てを合計し、当該合計値の（二乗）絶対値を求めて、第２の検出統計値を得るステップと、
８）最大検出統計値を求めるステップと、
９）当該最大検出統計値を推定雑音レベル閾値と比較して、観測されたＰＲＢ対がＤＭＲＳ送信を含むかどうかを判定するステップと、
１０）観測されたＰＲＢがＤＭＲＳ送信を含む場合には、最大検出統計値に対応するＰＲＢ提携（ＰＤＳＣＨまたはｅ−ＰＤＣＣＨ）を選択し、そうでない場合には、ステップ２から手続きを繰り返すステップと、
１１）観測されたＰＲＢ対がＰＤＳＣＨ  ＰＲＢ対であった場合には、ステップ２から手続きを繰り返すステップ
である。
【００９５】
様々なＵＥ固有のｅ−ＰＤＣＣＨ署名が所与のＵＥのＰＲＢ対の様々な周波数位置に割り当てられるケースに上述の検索手続きを容易に適合させることができる。しかし、単一の共通なＵＥ固有のｅ−ＰＤＣＣＨ署名が所与のＵＥのＰＲＢ対の任意の周波数位置に割り当てられる場合には、当該検索手続きはより簡潔である。
【００９６】
上述の検索手続きは、基地局側でのアンテナ・ポート７乃至１４の独占的なプリコーディングが少なくとも１つのＰＲＢ帯域幅の全てのサブキャリア周波数にわたって一定でなければならないとＬＴＥ標準が規定するという上述の事実に基づく。その結果、ＰＲＢ対におけるチャネル推定値のサンプルを合計する場合には、共通のプリコーディング係数を合計値から差し引いて、当該係数が検出統計値の比較結果に影響を及ぼさないようにすることができる。同じ理由から、ｅ−ＰＤＣＣＨ検出の性能は伝播チャネルがＰＲＢ対にわたって一定である場合には最適となる。
【００９７】
さらに、上述の検索手続きにおいて、ＲＥを対応するＰＤＳＣＨ−ＤＭＲＳ変調シーケンスの複素共役で再復調するステップは、前述のようにＵＥ固有のスクランブリング・シーケンスを含む。既存のＬＴＥ送信モードでのスクランブリング・シーケンスのＵＥ固有のパラメータはＰＤＣＣＨを介してＵＥに送信され、ＣＲＳにより復調される。しかし、ＰＤＣＣＨもＣＲＳも存在しないことが想定されている。これは、ＵＥが両方のバージョンのスクランブリング・シーケンスを用いてｅ−ＰＤＣＣＨを検索しなければならないか、または、後続のスケジューリング間隔で使用すべき（ＰＤＳＣＨを介した）上位層シグナリングによりＵＥ固有のスクランブリング・シーケンスのパラメータをＵＥに送信しなければならないか、の何れかであることを意味する。
【００９８】
さらに、当業者に理解されるように、本発明に従う方法をコンピュータ・プログラムで実装してもよい。当該プログラムは、コード手段を有し、当該コード手段を実行したとき、コンピュータが当該方法の諸ステップを実行する。当該コンピュータ・プログラムはコンピュータ・プログラム製品のコンピュータ可読媒体の中に含まれる。当該コンピュータ可読媒体は、ＲＯＭ（Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  ＰＲＯＭ）、フラッシュ・メモリ、ＥＥＰＲＯＭ（Ｅｌｅｃｔｒｉｃａｌｌｙ  Ｅｒａｓａｂｌｅ  ＰＲＯＭ）、またはハード・ディスク・ドライブのような、本質的に任意のメモリから構成されてもよい。
【００９９】
本発明はさらに、以上の方法に対応する送信装置と受信装置に関する。当該送信装置と受信装置を、上述の方法の様々な実施形態に従って適宜修正できることに留意されたい。当該装置は、上述の機能を提供するための適切な手段を備える。これらの手段は、例えば、処理手段、送信手段、受信手段、メモリ手段、バッファ手段、アンテナ手段等であってもよい。
【０１００】
最後に、本発明は上述の実施形態に限定されず、添付の独立請求項の範囲内にある全ての実施形態に関連しそれらを組み込むものであることは理解される。
【図１】
0005916259.tif 000025
【図２Ａ】
0005916259.tif 000026
【図２Ｂ】
0005916259.tif 000027
【図３】
0005916259.tif 000028